(57)【要約】      （修正有）【課題】ダッシュパネルが車両後側へ変位した場合に、出力部材の破損等を起こすことなく、操作ペダルの後退防止機能を発揮させ得る車両用ペダル装置の後退防止装置を提供する。【解決手段】ブレーキペダル装置１は、ペダルブラケット１０と、操作ペダル２０と、中間レバー２５と、連結リンク３０と、連結部材４０と、固定解除部材５０を有している。ペダルブラケット１０は、第１挿通穴１３と、第２挿通穴１４を有している。ダッシュパネルＰが車両後側へ変位すると、固定解除部材５０は、支軸１６まわりに回動し、固定ピンを破断させる。連結部材４０は、ペダルブラケット１０の回動軸１５まわりに回動し、第１支持軸１１、第２支持軸１２を、第１挿通穴１３、第２挿通穴１４内における車両前側下方へ移動させる。この第１支持軸１１と第２支持軸１２の移動によって、操作ペダル２０は、第１支持軸１１まわりに車両前方側へ強制的に回動する。【選択図】図２
2017134552.tif 000002
【特許請求の範囲】
【請求項１】
車両前側のダッシュパネルに固定されたペダルブラケットと、
前記ペダルブラケットに配設された第１支持軸によって回動可能に支持され、車両前側への踏込み操作に用いられる踏部を有する操作ペダルと、
前記ペダルブラケットに対して、前記第１支持軸に平行に配設された第２支持軸まわりに回動可能に支持されると共に、前記第２支持軸を軸とした出力方向への回動によって、所定の出力部材を車両前側へ変位させる中間レバーと、
前記操作ペダルと前記中間レバーを連結し、前記操作ペダルに対する踏込み操作に連動して、前記中間レバーを前記出力方向へ回動させる連結リンクと、を有する車両用ペダル装置に関し、前記ダッシュパネルが車両後側へ変位した場合に、前記操作ペダルの踏部の車両後側への変位を抑制する後退防止装置であって、
前記第１支持軸及び前記第２支持軸よりも車両前側に配設された回動軸によって、前記ペダルブラケットに対して回動可能に支持されると共に、前記回動軸と異なる位置をもって前記ペダルブラケットに対して固定されており、前記第１支持軸と前記第２支持軸との相対位置を維持しつつ連結する連結部材と、
前記ダッシュパネルが車両後側へ変位することに伴って前記連結部材と当接して、前記ペダルブラケットに対する前記連結部材の固定を解除する固定解除部材と、を有し、
前記ペダルブラケットは、
前記ペダルブラケットに対して前記第１支持軸を挿通可能な長穴状に形成され、前記第１支持軸が移動可能な空間を、前記回動軸を中心とした前記連結部材の回動方向により定まる所定方向に備える第１挿通穴と、
前記第１挿通穴と異なる位置において、前記ペダルブラケットに対して前記第２支持軸を挿通可能な長穴状に形成され、前記第２支持軸が移動可能な空間を、前記回動軸を中心とした前記連結部材の回動方向により定まる所定方向に備える第２挿通穴と、を有する
ことを特徴とする車両用ペダル装置の後退防止装置。
【請求項２】
前記固定解除部材は、
前記ペダルブラケットにおける車両後方側に配設された支軸によって、前記ペダルブラケットに対して回動可能に取り付けられ、
前記支軸から上方に向かって伸び、前記ダッシュパネルが車両後側へ変位することに伴って、前記車両の車両後方側に配設された車体部材と当接する当接部と、
前記支軸から前記当接部と異なる方向に向かって伸び、前記車体部材と前記当接部との当接によって支軸まわりに回動した場合に、前記連結部材と当接して荷重を伝達する伝達部と、を有する
ことを特徴とする請求項１記載の車両用ペダル装置の後退防止装置。
【請求項３】
前記操作ペダルは、
前記ペダルブラケットにおける車両前側に形成された前記第１挿通穴内に位置する前記第１支持軸によって、前記ペダルブラケットに対して回動可能に支持され、
前記中間レバーは、
前記第１挿通穴よりも車両後側に形成された前記第２挿通穴内に位置する第２支持軸によって回動可能に支持されている
ことを特徴とする請求項１又は請求項２に記載の車両用ペダル装置の後退防止装置。
【請求項４】
前記中間レバーは、
前記ペダルブラケットにおける車両前側に形成された前記第２挿通穴内に位置する前記第２支持軸によって回動可能に支持され、
前記操作ペダルは、
前記第２挿通穴よりも車両後側に形成された前記第１挿通穴内に位置する第２支持軸によって、前記ペダルブラケットに対して回動可能に支持されている
ことを特徴とする請求項１又は請求項２に記載の車両用ペダル装置の後退防止装置。
【請求項５】
前記連結部材は、
前記第１支持軸及び前記第２支持軸に対して、前記ペダルブラケットの車両前方側であって、且つ、上方となる位置に配設された前記回動軸によって、前記ペダルブラケットに対して回動可能に支持されている
ことを特徴とする請求項１乃至請求項４の何れかに記載の車両用ペダル装置の後退防止装置。
【発明の詳細な説明】
【技術分野】
【０００１】
本発明は、車両の前方衝突に伴ってダッシュパネルが車両後側へ変位した場合に、操作ペダルが後退することを抑制する車両用ペダル装置の後退防止装置に関する。
【背景技術】
【０００２】
従来、車両の前方衝突時に操作ペダルが車体後方の乗員側に移動することを抑制する車両用ペダル装置の後退防止装置として、例えば、特許文献１、特許文献２記載の発明が知られている。特許文献１、特許文献２記載のブレーキペダル後退防止装置は、ペダルブラケットと、ブレーキペダルと、中間レバーと、連結リンクと、を有する車両用ペダル装置に関し、ダッシュパネルが運転席側へ後退変位させられた際に前記操作ペダルの踏部がその運転席側へ後退することを抑制するように構成されている。
【０００３】
具体的に説明すると、特許文献１記載の車両用ペダル支持構造は、ダッシュパネルに配設されたペダルブラケットと、ペダルブラケットの第１支軸まわりに回動可能に支持され、車両前側への踏込み操作に用いられる踏部を下端部に有するブレーキペダルと、ペダルブラケットの第２支軸まわりに回動可能に支持されると共に、連結リンクとしての第２リンクを介してブレーキペダルに連結され、そのブレーキペダルに連動して機械的に出力方向へ回動させられることにより、ダッシュパネルから突き出すプッシュロッドを車両前側へ変位させる第１リンク（本発明の中間レバーに相当）を有している。そして、インパネリインフォースには、ペダルブラケットの後部を構成するサブペダルブラケットが固設されている。
【０００４】
そして、車両衝突時のダッシュパネル及びインパネリインフォースが後退変位すると、それぞれの後退変位量の相違に基づいて、サブペダルブラケットは、車両前側に突出するように曲げ変形する。この時、ペダルブラケットの中間部を構成するペダルブラケットサポートは、メインペダルブラケットに対して第２支軸まわりに回動する。サブペダルブラケットとの当接によって、中間レバーに相当する第１リンクは、第１支軸まわりに回動して、プッシュロッドを出力方向（車両前側）へ変位させる。これにより、ブレーキペダルが、第２リンクを介して、車両前側へ回動する為。特許文献１記載の車両用ペダル支持構造は、ダッシュパネルが運転席側へ後退変位させられた際に、ブレーキペダルの踏部の運転席側への後退を抑制している。
【０００５】
一方、特許文献２記載のブレーキペダル装置は、ダッシュパネルの車室内側に固定されたペダルブラケットと、ペダルブラケットに揺動自在に支持されると共に一端に踏部を有するブレーキペダルと、ペダルブラケットに支持されると共に、プッシュロッドとブレーキペダルとを連結する中間レバーとしての連結アームと、ブレーキペダルと連結アームとを連結する連結リンクとしてのアームリンクとを有している。特許文献２において、連結アームには、回転アームが回転可能に支持されている。
【０００６】
そして、車両衝突時のダッシュパネル及びインパネリインフォースが後退変位すると、それぞれの後退変位量の相違に基づいて、回転アームの一端がインパネリインフォースに固定された固定ブラケットと当接し、当該回転アームを回転させる。この時、回転アームの他端側は、プッシュロッドの側方から当接して、当該プッシュロッドの撓みを誘導する。特許文献２記載のブレーキペダル装置は、回転アームの端部をプッシュロッドに当接させて、プッシュロッドの撓み変形や破断を引き起こすことで、ペダルブラケットと連結アームとの相対距離を小さくし、ブレーキペダルの後退量を低減している。
【先行技術文献】
【特許文献】
【０００７】
【特許文献１】特開２００８−２０４０９６号公報
【特許文献２】特開２０１４−０４０２０１号公報
【発明の概要】
【発明が解決しようとする課題】
【０００８】
ここで、特許文献１記載の車両用ペダル支持構造のような車両用ペダル装置の後退防止装置においては、中間レバーが、出力部材としてのプッシュロッドを、車両前側に位置するブレーキブースタ側へ押圧しながら出力方向へ回動することを前提としている。しかしながら、車両衝突時の各部の変形等の影響によっては、プッシュロッド等の出力部材を車両前側へ押し込むことができない場合も生じ得る。
【０００９】
この場合、特許文献１のような車両用ペダル装置の後退防止装置においては、出力部材を車両前側へ押し込むことができないことに起因して、中間レバーを出力方向へ回動させることができず、結果的に、ブレーキペダルを踏込み方向へ回動させて踏部の後退を抑制する後退防止機能を発揮しない場合が生じ得る。
【００１０】
一方、特許文献２記載のブレーキペダル装置の場合、車両後方へのダッシュパネルの変位に伴って、回転アームの一端をプッシュロッドに当接させて、当該プッシュロッドの破損や撓み変形を発生させている。この為、出力部材を車両前側へ押し込むことができない場合であっても、ブレーキペダルの後退防止機能を発揮させることができる。
【００１１】
しかしながら、特許文献２のように、出力部材としてのプッシュロッドの破損等によって、ブレーキペダルの後退防止機能を発揮させる構成の場合、当該後退防止機能を発揮させた時点で、出力部材が使用不能な状態になってしまう場合がある。この点、車両の衝突に伴って後退防止機能を発揮した場合においては、車両を別の場所に移動させて停止させる場合に、出力部材を用いて制動力を付与することが望まれる場合がある。特許文献２のような構成では、後退防止機能を発揮させた後に、出力部材を用いた制動力の付与を行うことができず、ユーザの要望に対応できない場合があった。
【００１２】
本発明は、車両の前方衝突に伴ってダッシュパネルが車両後側へ変位した場合に、操作ペダルが後退することを抑制する車両用ペダル装置の後退防止装置に関し、出力部材の破損等を起こすことなく、操作ペダルの後退防止機能を発揮させ得る車両用ペダル装置の後退防止装置を提供する。
【課題を解決するための手段】
【００１３】
本発明の一側面に係る車両用ペダル装置の後退防止装置は、車両前側のダッシュパネルに固定されたペダルブラケットと、前記ペダルブラケットに配設された第１支持軸によって回動可能に支持され、車両前側への踏込み操作に用いられる踏部を有する操作ペダルと、前記ペダルブラケットに対して、前記第１支持軸に平行に配設された第２支持軸まわりに回動可能に支持されると共に、前記第２支持軸を軸とした出力方向への回動によって、所定の出力部材を車両前側へ変位させる中間レバーと、前記操作ペダルと前記中間レバーを連結し、前記操作ペダルに対する踏込み操作に連動して、前記中間レバーを前記出力方向へ回動させる連結リンクと、を有する車両用ペダル装置に関し、前記ダッシュパネルが車両後側へ変位した場合に、前記操作ペダルの踏部の車両後側への変位を抑制する後退防止装置であって、前記第１支持軸及び前記第２支持軸よりも車両前側に配設された回動軸によって、前記ペダルブラケットに対して回動可能に支持されると共に、前記回動軸と異なる位置をもって前記ペダルブラケットに対して固定されており、前記第１支持軸と前記第２支持軸との相対位置を維持しつつ連結する連結部材と、前記ダッシュパネルが車両後側へ変位することに伴って前記連結部材と当接して、前記ペダルブラケットに対する前記連結部材の固定を解除する固定解除部材と、を有し、前記ペダルブラケットは、前記ペダルブラケットに対して前記第１支持軸を挿通可能な長穴状に形成され、前記第１支持軸が移動可能な空間を、前記回動軸を中心とした前記連結部材の回動方向により定まる所定方向に備える第１挿通穴と、前記第１挿通穴と異なる位置において、前記ペダルブラケットに対して前記第２支持軸を挿通可能な長穴状に形成され、前記第２支持軸が移動可能な空間を、前記回動軸を中心とした前記連結部材の回動方向により定まる所定方向に備える第２挿通穴と、を有することを特徴とする。
【００１４】
当該車両用ペダル装置の後退防止装置は、ペダルブラケットと、操作ペダルと、中間レバーと、連結リンクと、を有しており、踏込み操作に伴う操作ペダルの回動に連動して、連結リンクを介して中間レバーを回動させることができ、もって、出力部材を車両前側へ変位させ得る。ここで、当該車両用ペダル装置の後退防止装置は、更に、連結部材と、固定解除部材と、を有しており、ペダルブラケットは、第１挿通穴と、第２挿通穴とを有している。前記ダッシュパネルが車両後側へ変位した場合に、当該車両用ペダル装置の後退防止装置は、固定解除部材を前記連結部材に当接させて、ペダルブラケットに対する連結部材の固定を解除し、前記第１支持軸及び前記第２支持軸よりも車両前側に配設された回動軸を中心として、当該連結部材を回動させることができる。そして、前記連結部材によって、第１支持軸と第２支持軸の相対位置が維持されている為、第１支持軸及び第２支持軸は、当該連結部材の回動に伴って、第１挿通穴及び第２挿通穴内を、それぞれ車両前側下方に向かって移動する。この第１支持軸と第２支持軸の連動した移動によって、当該車両用ペダル装置の後退防止装置は、操作ペダルを車両前方側に向かって強制的に回動させることができ、もって、操作ペダルの踏部が車両後側へ変位することを抑制することができる。そして、当該車両用ペダル装置の後退防止装置によれば、車両前側への出力部材の変位や、出力部材の破損等を必要としていない為、出力部材の状態に関わらず、操作ペダルの後退を確実に抑制することができ、後退防止機能を発揮した後においても、出力部材を利用し得る。
【００１５】
又、本発明の他の側面に係る車両用ペダル装置の後退防止装置は、請求項１記載の車両用ペダル装置の後退防止装置であって、前記固定解除部材は、前記ペダルブラケットにおける車両後方側に配設された支軸によって、前記ペダルブラケットに対して回動可能に取り付けられ、前記支軸から上方に向かって伸び、前記ダッシュパネルが車両後側へ変位することに伴って、前記車両の車両後方側に配設された車体部材と当接する当接部と、前記支軸から前記当接部と異なる方向に向かって伸び、前記車体部材と前記当接部との当接によって支軸まわりに回動した場合に、前記連結部材と当接して荷重を伝達する伝達部と、を有することを特徴とする。
【００１６】
当該車両用ペダル装置の後退防止装置において、前記固定解除部材は、当接部と、伝達部とを有しており、支軸によって、前記ペダルブラケットに対して回動可能に取り付けられている。従って、当該車両用ペダル装置の後退防止装置によれば、前記ダッシュパネルが車両後側へ変位することに伴って、固定解除部材の当接部を、前記車両の車体部材に当接させて、当該固定解除部材を支軸まわりに回動させることができ、伝達部を介して、前記連結部材に荷重を伝達させることで、ペダルブラケットに対する連結部材の固定を解除することができる。即ち、当該車両用ペダル装置の後退防止装置は、前記ダッシュパネルの車両後側への変位に係る荷重を、ペダルブラケットに対する連結部材の固定解除に対して、効率良く作用させることができる。この結果、当該車両用ペダル装置の後退防止装置によれば、回動軸を中心として連結部材、確実に回動させることができ、もって、操作ペダルの後退防止機能を、確実に発揮させ得る。
【００１７】
本発明の他の側面に係る車両用ペダル装置の後退防止装置は、請求項１又は請求項２に記載の車両用ペダル装置の後退防止装置であって、前記操作ペダルは、前記ペダルブラケットにおける車両前側に形成された前記第１挿通穴内に位置する前記第１支持軸によって、前記ペダルブラケットに対して回動可能に支持され、前記中間レバーは、前記第１挿通穴よりも車両後側に形成された前記第２挿通穴内に位置する第２支持軸によって回動可能に支持されていることを特徴とする。
【００１８】
当該車両用ペダル装置の後退防止装置によれば、ペダルブラケットの車両前側に操作ペダルが配設され、その車両後側に中間レバーが配設された態様であっても、前記ダッシュパネルが車両後側へ変位した場合に、固定解除部材によって、ペダルブラケットに対する連結部材の固定を解除し、回動軸を中心として連結部材を回動させることができる。これにより、第１支持軸及び第２支持軸を、当該連結部材の回動に伴って、第１挿通穴及び第２挿通穴内を、それぞれ車両前側下方に向かって移動させることができる為、当該車両用ペダル装置の後退防止装置は、車両前方側に向かって、操作ペダルを強制的に回動させることができ、もって、操作ペダルの踏部が車両後側へ変位することを抑制できる。
【００１９】
又、本発明の他の側面に係る車両用ペダル装置の後退防止装置は、請求項１又は請求項２に記載の車両用ペダル装置の後退防止装置であって、前記中間レバーは、前記ペダルブラケットにおける車両前側に形成された前記第２挿通穴内に位置する前記第２支持軸によって回動可能に支持され、前記操作ペダルは、前記第２挿通穴よりも車両後側に形成された前記第１挿通穴内に位置する第２支持軸によって、前記ペダルブラケットに対して回動可能に支持されていることを特徴とする。
【００２０】
当該車両用ペダル装置の後退防止装置によれば、ペダルブラケットの車両前側に中間レバーが配設され、その車両後側に操作ペダルが配設された態様であっても、前記ダッシュパネルが車両後側へ変位した場合に、固定解除部材によって、ペダルブラケットに対する連結部材の固定を解除し、回動軸を中心として連結部材を回動させることができる。これにより、第１支持軸及び第２支持軸を、当該連結部材の回動に伴って、第１挿通穴及び第２挿通穴内を、それぞれ車両前側下方に向かって移動させることができる為、当該車両用ペダル装置の後退防止装置は、車両前方側に向かって、操作ペダルを強制的に回動させることができ、もって、操作ペダルの踏部が車両後側へ変位することを抑制できる。
【００２１】
そして、本発明の他の側面に係る車両用ペダル装置の後退防止装置は、請求項１乃至請求項４の何れかに記載の車両用ペダル装置の後退防止装置であって、前記連結部材は、前記第１支持軸及び前記第２支持軸に対して、前記ペダルブラケットの車両前方側であって、且つ、上方となる位置に配設された前記回動軸によって、前記ペダルブラケットに対して回動可能に支持されていることを特徴とする。
【００２２】
当該車両用ペダル装置の後退防止装置によれば、回動軸を中心とした連結部材の回動の軌跡と、第１挿通穴及び第２挿通穴内における第１支持軸及び第２支持軸の移動方向を近似させることができるので、より確実に、第１支持軸及び第２支持軸を移動させることができ、もって、操作ペダルの踏部を車両後側へ変位することを抑制できる。
【発明の効果】
【００２３】
この発明は、ペダルブラケットと、操作ペダルと、中間レバーと、連結リンクと、連結部材と、固定解除部材とを有しており、ペダルブラケットは、第１挿通穴と、第２挿通穴とを有している。前記ダッシュパネルが車両後側へ変位した場合に、固定解除部材によって、ペダルブラケットに対する連結部材の固定を解除して、回動軸を中心として連結部材を回動させることができ、第１支持軸及び第２支持軸を、当該連結部材の回動に伴って、第１挿通穴及び第２挿通穴内を、それぞれ車両前側下方に向かって移動させることができる。当該車両用ペダル装置の後退防止装置は、この第１支持軸と第２支持軸の連動した移動によって、操作ペダル及び中間レバーを、車両前方側に向かって強制的に回動させ、もって、操作ペダルの踏部が車両後側へ変位することを抑制する。
【図面の簡単な説明】
【００２４】
【図１】第１実施形態に係るブレーキペダル装置の概略構成を示す側面図である。
【図２】第１実施形態に係るブレーキペダル装置の前方衝突時における動作を示す説明図である。
【図３】第２実施形態に係るブレーキペダル装置の概略構成を示す側面図である。
【図４】第２実施形態に係るブレーキペダル装置の前方衝突時における動作を示す説明図である。
【発明を実施するための形態】
【００２５】
（第１実施形態）
以下、本発明に係る車両用ペダル装置の後退防止装置を、常用ブレーキ用のブレーキペダル装置１に適用した実施形態（第１実施形態）について、図面を参照しつつ詳細に説明する。
【００２６】
（ブレーキペダル装置の概略構成）
先ず、第１実施形態に係るブレーキペダル装置１の概略構成について、図１、図２を参照しつつ詳細に説明する。尚、図１、図２は、ブレーキペダル装置１の概略構成を示す側面図であり、ペダルブラケット１０を仮想線（破線）で示すことで、その内側の構造が分かるように示している。
【００２７】
第１実施形態に係るブレーキペダル装置１は、エンジンルームと車室内とを区切るダッシュパネルＰと、ダッシュパネルＰよりも車両後側（運転席側）に配設された車体部材（例えば、インパネリインフォースメントＩ等）に対して固設されており、ペダルブラケット１０と、操作ペダル２０と、中間レバー２５と、連結リンク３０と、連結部材４０と、固定解除部材５０とを有している。そして、当該ブレーキペダル装置１は、操作ペダル２０の踏込み操作によって当該操作ペダル２０が回動した場合に、ブレーキブースタＢのオペレーティングロッドＲを車両前方側へ変位させることで、車両に対する制動力を発生させるように構成されている。
【００２８】
ブレーキブースタＢは、ダッシュパネルＰの車両前側（即ち、エンジンルーム側）に一体的に固設されており、出力部材としてのオペレーティングロッドＲを有している。当該ブレーキブースタＢは、オペレーティングロッドＲが車両前側へ変位した場合に、操作ペダル２０を介して伝達された制動力を倍化して、倍化した制動力を車両に伝達する。そして、オペレーティングロッドＲは、ダッシュパネルＰから車両後側の車室内へ突き出すように配設されており、車両前後方向へ変位可能に構成されている。
【００２９】
図１に示すように、インパネリインフォースメントＩは、ダッシュパネルＰよりも車両後側（運転席側）に配設されており、本発明における車体部材を構成する。当該インパネリインフォースメントＩは、一般に、衝突時等の車両前方からの大荷重入力時に車両後側へ変位する可能性や変形量がダッシュパネルＰよりも少ないものである。
【００３０】
そして、インパネリインフォースメントＩには、衝突用ブラケット６０が一体的に固設されている。当該衝突用ブラケット６０は、インパネリインフォースメントＩと共に、本発明における車体部材を構成する。当該衝突用ブラケット６０は、固定解除部材５０よりも車両後方側に位置しており、車両の前方衝突等により大荷重が入力された場合に、固定解除部材５０の当接部５１と当接して、当該固定解除部材５０を支軸１６まわりに回動させる。そして、衝突用ブラケット６０は、略平板状に形成された取付固定部６１を有しており、当該取付固定部６１には、ボルト６２及びナット６３によって、ペダルブラケット１０の車両後方部分が締結固定されている。
【００３１】
ペダルブラケット１０は、車両前側部分において、ダッシュパネルＰの車室側に対してボルト等を用いて固定されており、車幅方向に間隔をおいて対向する一対の側板を有して構成されている。当該ペダルブラケット１０は、第１支持軸１１と、第２支持軸１２と、第１挿通穴１３と、第２挿通穴１４と、回動軸１５と、支軸１６と、を有している。
【００３２】
第１支持軸１１は、ペダルブラケット１０における一対の側板の間に亘って、略水平で且つ車幅方向と略平行に伸びており、ペダルブラケット１０に形成された第１挿通穴１３を挿通して配設されている。そして、第１実施形態に係る第２支持軸１２は、操作ペダル２０よりも車両後側に位置しており、第１支持軸１１と平行に伸びるように、ペダルブラケット１０に形成された第２挿通穴１４を挿通して配設されている。
【００３３】
第１挿通穴１３は、ペダルブラケット１０における一対の側板の車両前方側において、長穴状に夫々形成されており、その長手方向が車両前方側ほど下方に向かうように伸びている。各第１挿通穴１３に対しては、第１支持軸１１の端部が夫々挿通されており、第１挿通穴１３は、第１支持軸１１の端部を支持している。各第１挿通穴１３の長手方向の開口縁は、所定の状況下で第１支持軸１１が移動する際に、当該第１支持軸１１を案内する。
【００３４】
第２挿通穴１４は、ペダルブラケット１０における一対の側板の夫々において、第１挿通穴１３よりも車両後側となる位置に長穴状に形成されている。各第２挿通穴１４に対しては、第２支持軸１２の端部が夫々挿通されており、第２挿通穴１４は、第２支持軸１２の端部を支持している。各第２挿通穴１４の長手方向の開口縁は、車両前方側ほど下方に向かうように直線状に伸びており、各第１挿通穴１３の長手方向の開口縁とは異なる傾きを為す。そして、各第２挿通穴１４の長手方向の開口縁は、所定の状況下で第２支持軸１２が移動する際に、当該第２支持軸１２を案内する。
【００３５】
そして、回動軸１５は、ペダルブラケット１０における一対の側板の夫々において、当該側板に対して立設されており、連結部材４０の一端部を回動可能に支持している。当該回動軸１５は、ペダルブラケット１０の側板において、第１支持軸１１、第２支持軸１２、第１挿通穴１３、第２挿通穴１４よりも車両前方側であって、且つ、上方となる位置に形成されている。
【００３６】
又、支軸１６は、ペダルブラケット１０における一対の側板の夫々において、当該側板に対して立設されており、固定解除部材５０を回動可能に支持している。そして、当該支軸１６は、ペダルブラケット１０の側板において、第１支持軸１１、第２支持軸１２、第１挿通穴１３、第２挿通穴１４、回動軸１５よりも車両後方側であって、且つ、上方となる位置に形成されている。
【００３７】
操作ペダル２０は、ペダルブラケット１０の第１支持軸１１によって、その上部を回動可能に支持されており、下端部に踏部２１を有している。従って、操作ペダル２０は、踏部２１を利用して踏込み操作が行われた場合、第１支持軸１１を中心に回動する。この場合、踏部２１は、車両前側に向かって移動する。
【００３８】
そして、中間レバー２５は、ペダルブラケット１０に配設された第２支持軸１２によって、その下部を回動可能に支持されており、上方に向かって伸びている。中間レバー２５の上部には、オペレーティングロッドＲが、クレビスを介して連結されている。従って、中間レバー２５が第２支持軸１２を中心として回動すると、オペレーティングロッドＲは、車両前後方向へ変位し得る。つまり、当該ブレーキペダル装置１によれば、中間レバー２５によって、オペレーティングロッドＲを車両前側へ押圧することで、ブレーキブースタＢを介して制動力を発生させ得る。
【００３９】
連結リンク３０は、操作ペダル２０の上方後側部分と、中間レバー２５の下方前側部分を連結しており、操作ペダル２０及び中間レバー２５に対して回動可能に取り付けられている。連結リンク３０の一端側は、操作ペダル２０の上方後側部分に対して、連結ピン３１を介して連結されている為、連結リンク３０は、連結ピン３１を中心として、操作ペダル２０に対して回動し得る。又、連結リンク３０の他端側は、中間レバー２５の下方前側部分に対して、連結ピン３２を介して連結されている為、連結リンク３０は、連結ピン３２を中心として、中間レバー２５に対して回動し得る。従って、当該ブレーキペダル装置１においては、第１支持軸１１を中心とした操作ペダル２０の回動を、連結リンク３０を介して、中間レバー２５に伝達することができ、中間レバー２５を、第２支持軸１２を中心として回動させることができる。
【００４０】
連結部材４０は、ペダルブラケット１０の各側板における内側面に沿って配置された鋼板製の部材であり、ペダルブラケット１０の側板に形成された回動軸１５によって、ペダルブラケット１０に対して回動可能に取り付けられている。当該連結部材４０には、第１挿通穴１３を挿通する第１支持軸１１の端部と、第２挿通穴１４を挿通する第２支持軸１２の端部がそれぞれ取り付けられている。即ち、当該連結部材４０は、第１支持軸１１と第２支持軸１２の相対的な位置関係（距離）を一定に保つ機能を果たす。
【００４１】
又、当該連結部材４０の車両前方側の端部は、ペダルブラケット１０の回動軸１５によって軸支されている為、回動軸１５を中心とした連結部材４０の回動に伴って、第１支持軸１１及び第２支持軸１２を、第１挿通穴１３及び第２挿通穴１４の内部において連動して移動させることができる。
【００４２】
そして、当該連結部材４０における車両後方部分は、固定ピン４１によって、ペダルブラケット１０の側板に対して固定されている。当該固定ピン４１は、例えば、アルミニウム等によって軸状に形成されており、連結部材４０と、ペダルブラケット１０の側板を貫通するように配設されている。当該固定ピン４１に所定以上の荷重が作用して破断した場合、ペダルブラケット１０に対する連結部材４０の固定が解除され、連結部材４０は、回動軸１５を中心として回動可能な状態となる。
【００４３】
固定解除部材５０は、ペダルブラケット１０の各側板における内側面に沿って配置された鋼板製の部材であり、ペダルブラケット１０の各側板において、車両後側に形成された支軸１６によって、ペダルブラケット１０に対して回動可能に取り付けられている。当該固定解除部材５０は、図１に示すように、支軸１６に対して上方に向かって伸びる当接部５１と、支軸１６に対して車両前側に向かって伸びる伝達部５２とを有しており、側面視で略Ｌ字状を為している。
【００４４】
図１に示す通常時において、当接部５１は、支軸１６から上方に向かって伸びており、衝突用ブラケット６０に接するように配置されている。一方、伝達部５２は、支軸１６から車両前側に向かって伸びており、固定ピン４１によって固定された連結部材４０の上面に当接するように配置されている。従って、固定解除部材５０を支軸１６まわりに回動させることによって、当接部５１に作用した荷重を、伝達部５２を介して、連結部材４０の後部に伝達することができる。
【００４５】
当該固定解除部材５０の伝達部５２は、固定ピン５３によって、ペダルブラケット１０の側板に対して固定されている。当該固定ピン５３は、固定ピン４１と同様に、例えば、アルミニウム等によって軸状に形成されており、固定解除部材５０の伝達部５２と、ペダルブラケット１０の側板を貫通するように配設されている。当該固定ピン５３に所定以上の荷重が作用して破断した場合、ペダルブラケット１０に対する固定解除部材５０の固定が解除され、固定解除部材５０は、支軸１６を中心として回動可能な状態となる。これにより、固定解除部材５０は、当接部５１に作用した荷重を、伝達部５２を介して連結部材４０に伝達し得る。
【００４６】
（操作ペダルの踏込み操作に伴う各部の動作）
次に、上述したブレーキペダル装置１において、操作ペダル２０の踏込み操作が行われた場合の各部の動きについて説明する。
【００４７】
操作ペダル２０に対して踏込み操作が行われた場合、踏部２１が車両前側へ踏み込まれることになる為、操作ペダル２０は、第１支持軸１１を中心として回動する。この時、操作ペダル２０の上部は、第１支持軸１１を中心として所定方向（図１における時計回り）へ回動する為、操作ペダル２０の回動は、連結リンク３０を介して、中間レバー２５に対して伝達される。
【００４８】
上述したように、連結リンク３０は、中間レバー２５の下方前側部分に対して、連結ピン３２を介して連結されている為、中間レバー２５は、操作ペダル２０の回動に伴って、第２支持軸１２を中心として回動し、中間レバー２５の上部を車両前側に向かって移動させる。中間レバー２５の上部には、ブレーキブースタＢのオペレーティングロッドＲが、クレビスを介して連結されている為、当該ブレーキペダル装置１は、操作ペダル２０の踏込み操作に連動して、オペレーティングロッドＲを出力方向（車両前側）へ押圧することができ、車両に対する制動力を発生させ得る。
【００４９】
尚、操作ペダル２０の踏込み操作によって固定ピン４１に作用する荷重は、固定ピン４１のせん断強度よりも十分に小さい為、操作ペダル２０の踏込み操作が行われた場合であっても、連結部材４０は、回動軸１５及び固定ピン４１によってペダルブラケット１０の側板に対して固定された状態を維持する。従って、当該ブレーキペダル装置１によれば、操作ペダル２０の踏込み操作によって、操作ペダル２０を軸支する第１支持軸１１及び、中間レバー２５を軸支する第２支持軸１２が移動することはなく、もって、操作ペダル２０の踏込み操作によって、確実に、車両に対して制動力を付与することができる。
【００５０】
(前方衝突時におけるブレーキペダル装置の動作)
次に、車両の前方衝突時におけるブレーキペダル装置１の動作について、図２を参照しつつ詳細に説明する。車両の前方衝突等によって車両前側から大荷重が入力された場合、ダッシュパネルＰは、入力された大荷重によって車両後側へ変位する。一方、インパネリインフォースメントＩは、車両前側から大荷重が入力された場合であっても、車両後側への変位量はダッシュパネルＰと比べて少ない。そして、当該ブレーキペダル装置１の車両後方部分は、インパネリインフォースメントＩに固設された衝突用ブラケット６０において、平板状に形成された取付固定部６１に対して、ボルト６２及びナット６３によって締結固定されている。従って、車両前側から大荷重が入力され、ダッシュパネルＰが車両後側へ変位すると、ブレーキペダル装置１は、平板状の取付固定部６１を車両後方側に向かって変形させつつ、全体として相対的に車両後側へ移動する（図１、図２参照）。
【００５１】
インパネリインフォースメントＩには、衝突用ブラケット６０が固定されており、固定解除部材５０の当接部５１に対して車両後方側に配置されている。従って、ダッシュパネルＰの車両後側への変位及び取付固定部６１の変形に伴って、ブレーキペダル装置１全体が相対的に車両後側へ移動すると、固定解除部材５０の当接部５１には、衝突用ブラケット６０が当接することによって、車両前側に向かう荷重が加えられる。
【００５２】
上述したように、固定解除部材５０は、支軸１６によって、ペダルブラケット１０に対して回動可能に支持されている為、当接部５１に作用した荷重は、伝達部５２を介して、効率良く固定ピン５３に作用する。伝達部５２を介して作用した荷重によって固定ピン５３の破断が発生すると、固定解除部材５０は、支軸１６を中心として回動し、伝達部５２を介して、当該荷重を連結部材４０の後部に伝達する。
【００５３】
伝達部５２を介して伝達された荷重は、連結部材４０の後部を下方へ押し下げるように作用する為、固定ピン４１を破断させて、連結部材４０を回動軸１５まわりに回動可能な状態にし得る。そして、固定ピン４１及び固定ピン５３が破断した場合、支軸１６を中心とした固定解除部材５０の回動に伴って、連結部材４０は、回動軸１５を中心として、下側に向かって回動していく。
【００５４】
図２に示すように、連結部材４０が回動軸１５を中心として回動すると、第１支持軸１１は、ペダルブラケット１０の第１挿通穴１３内部を、連結部材４０の回動に伴って車両前側下方へ移動していく。ここで、第１挿通穴１３の長手方向は、回動軸１５を中心として連結部材４０が回動する場合に第１支持軸１１が描く軌跡に基づいて決定されており、車両前側ほど下方に傾斜している。従って、第１支持軸１１は、連結部材４０の回動により、第１挿通穴１３における長手方向の端縁に沿って、円滑に車両前側下方へ移動する。
【００５５】
又、連結部材４０は、第１支持軸１１及び第２支持軸１２の位置関係（距離）を保つように形成されている為、連結部材４０が回動軸１５まわりに回動すると、第２支持軸１２は、ペダルブラケット１０における第２挿通穴１４の内部を、第１支持軸１１の移動（即ち、連結部材４０の回動）と連動して、車両前側下方へ移動していく。ここで、第２挿通穴１４の長手方向は、回動軸１５を中心として連結部材４０が回動する場合に第２支持軸１２が描く軌跡に基づいて決定されており、車両前側ほど下方に傾斜している。従って、第２支持軸１２は、連結部材４０の回動に伴って、第２挿通穴１４における長手方向の端縁に沿って、円滑に車両前側下方に移動する。
【００５６】
そして、連結部材４０には、車両前側から順番に、回動軸１５、第１支持軸１１、第２支持軸１２が取り付けられている為、連結部材４０が回動軸１５まわりに回動すると、第２挿通穴１４内部における第２支持軸１２の移動量は、第１挿通穴１３内部における第１支持軸１１の移動量よりも大きくなる。そして、操作ペダル２０と中間レバー２５は、連結リンク３０によって連結されている為、操作ペダル２０は、連結リンク３０を介して下方へ引っ張られ、第１支持軸１１まわりに回動する（図２参照）。
【００５７】
当該ブレーキペダル装置１によれば、車両の前方衝突に伴って、回動軸１５を中心として連結部材４０を回動させることによって、第１支持軸１１及び第２支持軸１２を夫々、第１挿通穴１３内、第２挿通穴１４内を連動して移動させることができ、もって、操作ペダル２０を強制的に回動させることができる。具体的には、図２に示すように、操作ペダル２０の踏部２１が車両前方側へ向かうように第１支持軸１１を中心に回動させることができる為、ブレーキペダル装置１は、操作ペダル２０の踏部２１が運転席側への後退することを抑制できる。
【００５８】
以上説明したように、第１実施形態に係るブレーキペダル装置１は、ペダルブラケット１０と、操作ペダル２０と、中間レバー２５と、連結リンク３０と、を有しており、踏込み操作に伴う操作ペダル２０の回動に連動して、連結リンク３０を介して中間レバー２５を回動させることができ、もって、ブレーキブースタＢのオペレーティングロッドＲを車両前側へ変位させ得る。
【００５９】
ここで、当該ブレーキペダル装置１は、更に、連結部材４０と、固定解除部材５０と、を有しており、ペダルブラケット１０は、第１挿通穴１３と、第２挿通穴１４とを有している。図２に示すように、ダッシュパネルＰが車両後側へ変位した場合に、当該ブレーキペダル装置１は、固定解除部材５０を前記連結部材４０に当接させて、固定ピン４１を破断させることによって、ペダルブラケット１０に対する連結部材４０の固定を解除し、回動軸１５を中心として、当該連結部材４０を回動させることができる。
【００６０】
そして、前記連結部材４０によって、第１支持軸１１と第２支持軸１２の相対位置（距離）が維持されている為、第１支持軸１１及び第２支持軸１２は、当該連結部材４０の回動に伴って、第１挿通穴１３及び第２挿通穴１４内を、それぞれ車両前側下方に向かって移動する。図２に示すように、当該ブレーキペダル装置１によれば、第１支持軸１１と第２支持軸１２の連動した移動によって、操作ペダル２０を、車両前方側に向かって強制的に回動させることができ、もって、操作ペダル２０の踏部２１が車両後側へ変位することを抑制できる。
【００６１】
更に、当該ブレーキペダル装置１によれば、操作ペダル２０の後退防止に際して、車両前側へのオペレーティングロッドＲの変位や、オペレーティングロッドＲの破損等を必要としていない為、オペレーティングロッドＲの状態に関わらず、操作ペダル２０の後退を確実に抑制することができる。又、当該ブレーキペダル装置１によれば、操作ペダル２０の後退防止に関し、オペレーティングロッドＲの破損等を必要としていない為、操作ペダル２０の後退防止機能を発揮した後でも、オペレーティングロッドＲを利用し得る。
【００６２】
図２に示すように、固定解除部材５０は、当接部５１と、伝達部５２とを有しており、支軸１６によって、前記ペダルブラケット１０に対して回動可能に取り付けられている。従って、当該ブレーキペダル装置１によれば、衝突等によってダッシュパネルＰが車両後側へ変位すると、固定解除部材５０の当接部５１を衝突用ブラケット６０に当接させて、支軸１６まわりに回動させることができる。そして、当該固定解除部材５０の回動によって、伝達部５２を介して前記連結部材４０に荷重を伝達させて、固定ピン４１を破断させることができ、もって、ペダルブラケット１０に対する連結部材４０の固定を解除することができる。
【００６３】
即ち、当該ブレーキペダル装置１は、前記ダッシュパネルＰの車両後側への変位に係る荷重を、ペダルブラケット１０に対する連結部材４０の固定解除（つまり、固定ピン４１の破断）に対して、効率良く作用させることができる。この結果、当該ブレーキペダル装置１によれば、回動軸１５を中心として、連結部材４０を確実に回動させることができ、もって、操作ペダル２０の後退防止機能を、確実に発揮させ得る。
【００６４】
図１、図２に示すように、当該ブレーキペダル装置１によれば、ペダルブラケット１０の車両前側に操作ペダル２０が配設され、その車両後側に中間レバー２５が配設された態様であっても、前記ダッシュパネルＰが車両後側へ変位した場合に、固定解除部材５０の回動によって、ペダルブラケット１０に対する連結部材４０の固定を解除し、回動軸１５を中心として連結部材４０を回動させることができる。これにより、第１支持軸１１及び第２支持軸１２を、当該連結部材４０の回動に伴って、第１挿通穴１３及び第２挿通穴１４内を、それぞれ車両前側下方に向かって移動させることができる為、当該ブレーキペダル装置１は、車両前方側に向かって、操作ペダル２０を強制的に回動させることができ、もって、操作ペダル２０の踏部２１が車両後側へ変位することを抑制できる。
【００６５】
更に、当該ブレーキペダル装置１のペダルブラケット１０において、回動軸１５は、前記第１支持軸１１及び前記第２支持軸１２に対して車両前方側であって、且つ、上方となる位置に形成されており、前記連結部材の端部を、ペダルブラケット１０に対して回動可能に支持している（図１、図２参照）。従って、当該ブレーキペダル装置１によれば、回動軸１５を中心とした連結部材４０の回動の軌跡と、第１挿通穴１３及び第２挿通穴１４内における第１支持軸１１及び第２支持軸１２の移動方向を近似させることができる。この結果、当該ブレーキペダル装置１によれば、より確実に、第１支持軸１１及び第２支持軸１２を移動させることができ、もって、操作ペダル２０の踏部が車両後側へ変位することを抑制できる。
【００６６】
（第２実施形態）
次に、上述した第１実施形態と異なる実施形態（第２実施形態）に係るブレーキペダル装置１の概略構成について、図３、図４を参照しつつ詳細に説明する。尚、第２実施形態に係るブレーキペダル装置１は、ペダルブラケット１０、操作ペダル２０及び中間レバー２５の構成を除き、上述した第１実施形態に係るブレーキペダル装置１と同様の構成を有している。従って、以下の説明においては、第１実施形態と同様の構成についての説明を省略し、相違する構成について詳細に説明する。
【００６７】
（第２実施形態に係るブレーキペダル装置の概略構成）
第２実施形態に係るブレーキペダル装置１においても、ペダルブラケット１０は、車両前側部分において、ダッシュパネルＰの車室側にボルト等を用いて固定されており、車幅方向に間隔をおいて対向する一対の側板を有している。当該ペダルブラケット１０は、第１実施形態と同様に、第１支持軸１１と、第２支持軸１２と、第１挿通穴１３と、第２挿通穴１４と、回動軸１５と、支軸１６を有している。
【００６８】
第２実施形態においても、第１支持軸１１は、ペダルブラケット１０における一対の側板の間に亘って、略水平で且つ車幅方向と略平行に伸びており、ペダルブラケット１０に形成された第１挿通穴１３を挿通して配設されている。そして、第２実施形態に係る第２支持軸１２は、操作ペダル２０よりも車両前側に位置しており、第１支持軸１１と平行に伸びるように配設されている。当該第２支持軸１２は、ペダルブラケット１０の各側板において、第１挿通穴１３よりも車両前側に形成された第２挿通穴１４を挿通して配設されている。
【００６９】
第２実施形態における第１挿通穴１３は、ペダルブラケット１０における一対の側板の夫々に対して、車両後方側に長穴状に形成されている。各第１挿通穴１３に対しては、第１支持軸１１の端部がそれぞれ挿通されており、第１挿通穴１３は、第１支持軸１１の端部を支持している。第２実施形態においても、各第１挿通穴１３の長手方向は、回動軸１５を中心として連結部材４０が回動した場合に、第１支持軸１１が描く軌跡に基づいて決定されており、車両前方側ほど下方に傾斜している。第１挿通穴１３の長手方向に沿った開口縁は、車両前方ほど下方となるように直線状に伸びており、所定の状況下で第１支持軸１１が移動する際に、当該第１支持軸１１を案内する。
【００７０】
第２実施形態における第２挿通穴１４は、ペダルブラケット１０における一対の側板において、第１挿通穴１３よりも車両前方側となる位置に長穴状に形成されている。各第２挿通穴１４には、第２支持軸１２の端部が夫々挿通されており、第２挿通穴１４は、第２支持軸１２の端部を支持している。そして、第２実施形態に係る第２挿通穴１４の長手方向は、回動軸１５を中心として連結部材４０が回動した場合に、第２支持軸１２が描く軌跡に基づいて決定されており、車両前方側ほど下方に傾斜している。各第２挿通穴１４の長手方向に沿った開口縁は、車両前方側ほど下方となる直線状に伸びており、所定の状況下で第２支持軸１２が移動する際に、当該第２支持軸１２を案内する。
【００７１】
第２実施形態に係る回動軸１５は、ペダルブラケット１０における一対の側板の夫々において、当該側板に対して立設されており、連結部材４０の一端部を回動可能に支持している。当該回動軸１５は、第１実施形態と同様に、ペダルブラケット１０の側板において、第１支持軸１１、第２支持軸１２、第１挿通穴１３、第２挿通穴１４よりも車両前方側であって、且つ、上方若しくはほぼ同じ高さになる位置に形成されている。
【００７２】
又、第２実施形態に係る支軸１６は、ペダルブラケット１０における一対の側板の夫々において、当該側板に対して立設されており、固定解除部材５０を回動可能に支持している。そして、当該支軸１６は、ペダルブラケット１０の側板において、第１支持軸１１、第２支持軸１２、第１挿通穴１３、第２挿通穴１４、回動軸１５よりも車両後方側であって、且つ、上方となる位置に形成されている。
【００７３】
操作ペダル２０は、ペダルブラケット１０の車両後方側に位置する第１支持軸１１によって、その上部を回動可能に支持されており、下端部に踏部２１を有している。従って、操作ペダル２０は、踏部２１を利用して踏込み操作が行われた場合、第１支持軸１１を中心に回動する。
【００７４】
図３に示すように、中間レバー２５は、ペダルブラケット１０の車両前方側に配設された第２支持軸１２によって、その下端部を回動可能に支持されており、上方に向かって伸びている。中間レバー２５の上端部には、オペレーティングロッドＲが、クレビスを介して連結されている。そして、連結リンク３０は、操作ペダル２０の上方前側部分と、中間レバー２５の下方後側部分を連結しており、操作ペダル２０及び中間レバー２５に対して回動可能に取り付けられている。
【００７５】
第２実施形態に係る連結部材４０は、第１実施形態と同様に、ペダルブラケット１０の各側板における内側面に沿って配置された鋼板製の部材であり、ペダルブラケット１０の回動軸１５によって、ペダルブラケット１０に対して回動可能に取り付けられている。当該連結部材４０には、第１支持軸１１の端部と、第２支持軸１２の端部がそれぞれ取り付けられており、第１支持軸１１と第２支持軸１２の相対的な位置関係（距離）を一定に保つ機能を果たす。
【００７６】
又、当該連結部材４０の車両前方側の端部は、ペダルブラケット１０の回動軸１５によって軸支されている為、回動軸１５を中心とした連結部材４０の回動に伴って、第１支持軸１１及び第２支持軸１２を、第１挿通穴１３及び第２挿通穴１４の内部において、連動して移動させることができる。
【００７７】
第２実施形態においても、当該連結部材４０における車両後方部分は、固定ピン４１によって、ペダルブラケット１０の側板に対して固定されている。従って、当該固定ピン４１に所定以上の荷重が作用して破断した場合、ペダルブラケット１０に対する連結部材４０の固定が解除され、連結部材４０は、回動軸１５を中心として回動可能な状態となる。
【００７８】
固定解除部材５０は、ペダルブラケット１０の各側板における内側面に沿って配置された鋼板製の部材であり、ペダルブラケット１０の支軸１６によって、ペダルブラケット１０に対して回動可能に支持されている。第２実施形態に係る固定解除部材５０は、第１実施形態と同様に、当接部５１と、伝達部５２とを有しており、側面視で略Ｌ字状を為している。従って、第２実施形態においても、固定解除部材５０を支軸１６まわりに回動させることによって、当接部５１に作用した荷重を、伝達部５２を介して連結部材４０の後部に伝達することができる。
【００７９】
又、第２実施形態においても、固定解除部材５０の伝達部５２は、固定ピン５３によって、ペダルブラケット１０の側板に対して固定されている。従って、当該固定ピン５３に所定以上の荷重が作用して破断した場合、ペダルブラケット１０に対する固定解除部材５０の固定が解除され、固定解除部材５０は、支軸１６を中心として回動可能な状態となる。これにより、固定解除部材５０は、当接部５１に作用した荷重を、伝達部５２を介して連結部材４０に伝達し得る。
【００８０】
(第２実施形態に係るブレーキペダル装置の前方衝突時における動作)
次に、第２実施形態に係るブレーキペダル装置１の車両の前方衝突時における動作について、図４を参照しつつ詳細に説明する。第２実施形態においても、車両の前方衝突等によって車両前側から大荷重が入力された場合、ダッシュパネルＰは、入力された大荷重によって車両後側へ変位する。この時、第２実施形態に係るブレーキペダル装置１は、平板状の取付固定部６１を車両後方側に向かって変形させつつ、全体として相対的に車両後側へ移動する（図３、図４参照）。
【００８１】
そして、インパネリインフォースメントＩには、衝突用ブラケット６０が固定されており、固定解除部材５０の当接部５１に対して車両後方側に配置されている。従って、ダッシュパネルＰの車両後側への変位及び取付固定部６１の変形に伴って、ブレーキペダル装置１全体が相対的に車両後側へ移動すると、固定解除部材５０の当接部５１には、衝突用ブラケット６０が当接することによって、車両前側に向かう荷重が加えられる。
【００８２】
そして、伝達部５２を介して作用した荷重によって固定ピン５３の破断が発生すると、固定解除部材５０は、支軸１６を中心として回動し、伝達部５２を介して、当該荷重を連結部材４０の後部に伝達する。伝達部５２を介して伝達された荷重は、連結部材４０の後部を下方へ押し下げるように作用し、固定ピン４１を破断させ得る。固定ピン４１の破断によって、連結部材４０が回動軸１５まわりに回動可能な状態になると、連結部材４０は、支軸１６を中心とした固定解除部材５０の回動に伴って、回動軸１５を中心として、下側に向かって回動していく。
【００８３】
図４に示すように、連結部材４０が回動軸１５を中心として回動すると、第１支持軸１１は、第１挿通穴１３内部を連結部材４０の回動に伴って車両前側下方へ移動していく。同時に、第２支持軸１２は、第１支持軸１１の移動（即ち、連結部材４０の回動）と連動して、第２挿通穴１４の内部を車両前側下方へ移動していく。
【００８４】
そして、第２実施形態に係る連結部材４０には、車両前側から順番に、回動軸１５、第２支持軸１２、第１支持軸１１が取り付けられている為、連結部材４０が回動軸１５まわりに回動すると、第１挿通穴１３内部における第１支持軸１１の移動量は、第２挿通穴１４内部における第２支持軸１２の移動量よりも大きくなる。そして、操作ペダル２０と中間レバー２５は、連結リンク３０によって連結されている為、操作ペダル２０は、連結リンク３０を介して上方へ引っ張られ、第１支持軸１１まわりに回動する（図４参照）。
【００８５】
第２実施形態に係るブレーキペダル装置１によれば、車両の前方衝突に伴って、回動軸１５を中心として連結部材４０を回動させることによって、第１支持軸１１及び第２支持軸１２を夫々、第１挿通穴１３内、第２挿通穴１４内を連動して移動させることができ、もって、操作ペダル２０を強制的に回動させることができる。具体的には、図４に示すように、操作ペダル２０の踏部２１が車両前方側へ向かうように第１支持軸１１を中心に回動させることができる為、ブレーキペダル装置１は、操作ペダル２０の踏部２１が運転席側への後退することを抑制できる。
【００８６】
以上説明したように、第２実施形態に係るブレーキペダル装置１は、第１実施形態と同様に、ペダルブラケット１０と、操作ペダル２０と、中間レバー２５と、連結リンク３０と、を有しており、踏込み操作に伴う操作ペダル２０の回動に連動して、連結リンク３０を介して中間レバー２５を回動させることができ、もって、ブレーキブースタＢのオペレーティングロッドＲを車両前側へ変位させ得る。
【００８７】
そして、第２実施形態に係るブレーキペダル装置１も、更に、連結部材４０と、固定解除部材５０と、を有しており、ペダルブラケット１０は、第１挿通穴１３と、第２挿通穴１４とを有している。図４に示すように、ダッシュパネルＰが車両後側へ変位した場合、当該ブレーキペダル装置１は、固定解除部材５０を前記連結部材４０に当接させて、固定ピン４１を破断させることによって、ペダルブラケット１０に対する連結部材４０の固定を解除し、回動軸１５を中心として、当該連結部材４０を回動させることができる。
【００８８】
又、前記連結部材４０によって、第１支持軸１１と第２支持軸１２の相対位置（距離）が維持されている為、第１支持軸１１及び第２支持軸１２は、当該連結部材４０の回動に伴って、第１挿通穴１３及び第２挿通穴１４内を、それぞれ車両前側下方に向かって移動する。図４に示すように、当該ブレーキペダル装置１によれば、第１支持軸１１と第２支持軸１２の連動した移動によって、操作ペダル２０を、車両前方側に向かって強制的に回動させることができ、もって、操作ペダル２０の踏部２１が車両後側へ変位することを抑制できる。
【００８９】
更に、第２実施形態に係るブレーキペダル装置１においても、操作ペダル２０の後退防止に際して、車両前側へのオペレーティングロッドＲの変位や、オペレーティングロッドＲの破損等を必要としていない為、オペレーティングロッドＲの状態に関わらず、操作ペダル２０の後退を確実に抑制することができ、操作ペダル２０の後退防止機能を発揮した後でも、オペレーティングロッドＲを利用し得る。
【００９０】
そして、第２実施形態においても、固定解除部材５０は、当接部５１と、伝達部５２とを有しており、支軸１６によって、前記ペダルブラケット１０に対して回動可能に取り付けられている（図４参照）。従って、当該ブレーキペダル装置１によれば、衝突等によってダッシュパネルＰが車両後側へ変位すると、固定解除部材５０の当接部５１を衝突用ブラケット６０に当接させて、支軸１６まわりに回動させることができる。即ち、第２実施形態に係るブレーキペダル装置１も、前記ダッシュパネルＰの車両後側への変位に係る荷重を、ペダルブラケット１０に対する連結部材４０の固定解除（つまり、固定ピン４１の破断）に対して、効率良く作用させることができ、もって、操作ペダル２０の後退防止機能を、確実に発揮させ得る。
【００９１】
図３、図４に示すように、当該ブレーキペダル装置１によれば、ペダルブラケット１０の車両前側に中間レバー２５が配設され、その車両後側に操作ペダル２０が配設された態様であっても、前記ダッシュパネルＰが車両後側へ変位した場合に、固定解除部材５０の回動によって、ペダルブラケット１０に対する連結部材４０の固定を解除し、回動軸１５を中心として連結部材４０を回動させることができる。これにより、第１支持軸１１及び第２支持軸１２を、当該連結部材４０の回動に伴って、第１挿通穴１３及び第２挿通穴１４内を、それぞれ車両前側下方に向かって移動させることができる為、当該ブレーキペダル装置１は、車両前方側に向かって、操作ペダル２０を強制的に回動させることができ、もって、操作ペダル２０の踏部２１が車両後側へ変位することを抑制できる。
【００９２】
更に、第２実施形態に係るブレーキペダル装置１のペダルブラケット１０において、回動軸１５は、前記第１支持軸１１及び前記第２支持軸１２に対して車両前方側であって、且つ、上方となる位置に形成されており、前記連結部材の端部を、ペダルブラケット１０に対して回動可能に支持している（図３、図４参照）。従って、当該ブレーキペダル装置１によれば、回動軸１５を中心とした連結部材４０の回動の軌跡と、第１挿通穴１３及び第２挿通穴１４内における第１支持軸１１及び第２支持軸１２の移動方向を近似させることができ、より確実に、第１支持軸１１及び第２支持軸１２を移動させることができる。
【００９３】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、固定ピン４１によって、連結部材４０をペダルブラケット１０に対して固定すると共に、固定ピン５３によって、固定解除部材５０をペダルブラケット１０に対して固定した態様であったが、この態様に限定されるものではない。例えば、連結部材４０と、固定解除部材５０とを、一つの固定ピンによって、ペダルブラケット１０の側板に対して共通して固定することも可能である。この構成によれば、部品点数を削減することができ、製造コスト等を低減することができる。
【００９４】
又、連結部材４０をペダルブラケット１０に対して固定しておき、回動可能な状態の固定解除部材５０を当該連結部材４０の上面に対して当接させておく構成としてもよい。この場合でも、固定解除部材５０の姿勢は、ペダルブラケット１０に固定された連結部材４０と当接することで定まる為、固定解除部材５０を介して、連結部材４０を回動軸１５まわりに回動させることができる。この時、固定解除部材５０を介して、連結部材４０に荷重を伝達させることによって、固定ピン４１を破断させることができるので、この場合であっても、操作ペダル２０の後退防止機能を発揮させることができる。
【００９５】
そして、上述した実施形態においては、連結部材４０等の部材と、ペダルブラケット１０の側板とを、固定ピンによって貫通するようにして固定する構成であったが、この態様に限定されるものではない。所定未満の荷重が作用した場合には、ペダルブラケット１０に対して、当該部材を固定しておき、所定以上の荷重が作用した場合に回動可能となる固定方法であれば、種々の態様を採用することができる。
【００９６】
又、上述した実施形態においては、固定解除部材５０は、当接部５１と、伝達部５２を有しており、側面視略Ｌ字状を為すように形成されており、支軸１６によってペダルブラケット１０に対して回動可能に支持されていたが、この態様に限定されるものではない。本発明における固定解除部材は、衝突用ブラケット６０等の車体部材との当接によって動作し、ペダルブラケットに対する連結部材の固定を解除することができれば、その形状や動作態様については、種々の態様を採用することができる。
【００９７】
又、上述した実施形態においては、連結部材４０、固定解除部材５０を夫々、ペダルブラケット１０の側板における内側面に沿って配設していたが、この態様に限定されるものではない。本発明は、ペダルブラケット１０の側板における外側面に沿って、連結部材４０、固定解除部材５０を配設する構成としてもよい。
【００９８】
又、本発明は、本発明に係る車両用ペダル装置の後退防止装置における各動作を実現することができれば、上述した実施形態に示す態様に限定されるものではなく、当該車両用ペダル装置の後退防止装置における各動作を実現することができれば、ブレーキペダル装置１を構成する各部材の配置を適宜変更することができる。
【００９９】
更に、本発明に係る車両用ペダル装置の後退防止装置における各動作を実現することができれば、構成部材の形状を適宜変更することができる。各構成部材の形状は、上述した実施形態におけるブレーキペダル装置１の各構成部材の形状に限定されるものではなく、例えば、本発明に係る車両用ペダル装置の後退防止装置における各動作を実現する際に、各構成部材間の干渉を避ける為に、構成部材夫々の形状を変更してもよい。
【符号の説明】
【０１００】
１      ブレーキペダル装置
１０    ペダルブラケット
１１    第１支持軸
１２    第２支持軸
１３    第１挿通穴
１４    第２挿通穴
１５    回動軸
１６    支軸
２０    操作ペダル
２１    踏部
２５    中間レバー
３０    連結リンク
４０    連結部材
５０    固定解除部材
６０    衝突用ブラケットケット
Ｉ      インパネリインフォースメント
Ｐ      ダッシュパネル
【図１】
2017134552.tif 000003
【図２】
2017134552.tif 000004
【図３】
2017134552.tif 000005
【図４】
2017134552.tif 000006